(57)【要約】【課題】小型化が可能で、使い勝手が良く、高い治療効果を奏する。【解決手段】磁気治療装置１は、使用者の患部にあてがわれ、回転周波数ｆ１にて回転する回転磁界Ｈ１を、患部に与える磁気治療器１０−１と、この磁気治療器１０−１から離れた位置において患部にあてがわれ、回転周波数ｆ２にて回転する回転磁界Ｈ２を、患部に与える磁気治療器１０−２と、を備えている。各磁気治療器１０−１，１０−２は、回転円板２４と、この回転円板２４上において同心円状に配置され、回転磁界Ｈ１，Ｈ２をそれぞれ発生させる複数の永久磁石２５と、回転円板２４を回転周波数ｆ１，ｆ２にてそれぞれ回転させるモータ２２と、を有している。回転周波数ｆ１と回転周波数ｆ２とを異ならせて磁気唸りを発生させ、患部に対して治療効果を与える。【選択図】図１
2016029998.tif 000002
【特許請求の範囲】
【請求項１】
使用者の患部にあてがわれ、第１回転周波数にて回転する第１回転磁界を、前記患部に対して略垂直方向に与える第１磁気治療器と、
前記第１磁気治療器から離れた位置において前記患部にあてがわれ、第２回転周波数にて回転する第２回転磁界を、前記患部に対して略垂直方向に与える第２磁気治療器と、
を備える磁気治療装置であって、
前記第１磁気治療器は、
第１回転円板と、
前記第１回転円板上において同心円状に配置され、前記第１回転磁界を発生させる複数の第１永久磁石と、
前記第１回転円板を前記第１回転周波数にて回転させる第１モータと、を有し、
前記第２磁気治療器は、
第２回転円板と、
前記第２回転円板上において同心円状に配置され、前記第２回転磁界を発生させる複数の第２永久磁石と、
前記第２回転円板を前記第２回転周波数にて回転させる第２モータと、を有し、
前記第１回転周波数と前記第２回転周波数とを異ならせて磁気唸りを発生させ、前記磁気唸りにより、前記患部に対して治療効果を与えることを特徴とする磁気治療装置。
【請求項２】
前記第１磁気治療器には、前記第１モータを駆動するためのモータ駆動回路及び電池を有する第１電源部が内蔵され、
更に、前記第２磁気治療器にも、前記第２モータを駆動するためのモータ駆動回路及び電池を有する第２電源部が内蔵されていることを特徴とする請求項１記載の磁気治療装置。
【請求項３】
前記第１モータ及び前記第２モータを駆動するためのモータ駆動回路及び電池を有する共通の電源部が、前記第１磁気治療器及び前記第２磁気治療器の外部に、絶縁配線を介して接続されていることを特徴とする請求項１記載の磁気治療装置。
【請求項４】
前記第１電源部及び前記第２電源部は、それぞれ把持可能な形状になっていることを特徴とする請求項２記載の磁気治療装置。
【請求項５】
前記第１磁気治療器及び前記第２磁気治療器は、保持部材によって前記患部に着脱自在に装着されることを特徴とする請求項１〜４のいずれか１項記載の磁気治療装置。
【請求項６】
前記第１永久磁石及び前記第２永久磁石は、円盤型扁平磁石であることを特徴とする請求項１〜５のいずれか１項記載の磁気治療装置。
【請求項７】
前記モータは、直流モータであることを特徴とする請求項１〜６のいずれか１項記載の磁気治療装置。
【発明の詳細な説明】
【技術分野】
【０００１】
本発明は、回転磁界を利用して治療効果を与える磁気治療装置に関するものである。
【背景技術】
【０００２】
従来、特許公報１〜４等には、変動磁界としての回転磁界を利用して治療効果を与える磁気治療装置が記載されている。この種の磁気治療装置では、永久磁石を回転させて回転磁界を作り、この回転磁界を使用者の患部に与え、血行を良くして肩こりや腰痛等を治療するようになっている。
【先行技術文献】
【特許文献】
【０００３】
【特許文献１】米国特許第５，６３２，７２０号明細書
【特許文献２】特許第４８５４８８３号公報
【特許文献３】特許第４２６１５３０号公報
【特許文献４】特許第２６９１５００号公報
【発明の概要】
【発明が解決しようとする課題】
【０００４】
しかしながら、従来の磁気治療装置では、次のような課題があった。
従来の磁気治療装置では、１つの磁気治療器から発生した回転磁界を使用者の患部に与えて、治療するようになっているので、治療効果が低い。この対策として、患部に与える回転磁界の磁気パワーを大きくして治療効果を高めることが考えられるが、永久磁石等の内部構造が大きくなって磁気治療器が大型になる。これにより、患部への装着が難しくなり、使用上、不利不便となるので、使い勝手が悪いという課題があった。
【０００５】
本発明は、このような従来の課題を解決し、小型化が可能で、使い勝手が良く、しかも、治療効果が高い磁気治療装置を提供することを目的とする。
【課題を解決するための手段】
【０００６】
本発明の磁気治療装置は、使用者の患部にあてがわれ、第１回転周波数にて回転する第１回転磁界を、前記患部に対して略垂直方向に与える第１磁気治療器と、前記第１磁気治療器から離れた位置において前記患部にあてがわれ、第２回転周波数にて回転する第２回転磁界を、前記患部に対して略垂直方向に与える第２磁気治療器と、を備えている。
【０００７】
前記第１磁気治療器は、第１回転円板と、前記第１回転円板上において同心円状に配置され、前記第１回転磁界を発生させる複数の第１永久磁石と、前記第１回転円板を前記第１回転周波数にて回転させる第１モータと、を有している。更に、前記第２磁気治療器は、第２回転円板と、前記第２回転円板上において同心円状に配置され、前記第２回転磁界を発生させる複数の第２永久磁石と、前記第２回転円板を前記第２回転周波数にて回転させる第２モータと、を有している。
【０００８】
そして、本発明では、前記第１回転周波数と前記第２回転周波数とを異ならせて磁気唸りを発生させ、前記磁気唸りにより、前記患部に対して治療効果を与えることを特徴とする。
【発明の効果】
【０００９】
本発明の磁気治療装置によれば、次の（ａ）〜（ｆ）のような効果がある。
（ａ）  磁気治療装置を患部（例えば、頭部）に装着した場合、磁気唸りにより、脳波の周波数低下を誘導して、脳波のα波成分を増加させると共に、β波成分を抑制して減少させることができる。そのため、精神障害等に対して治療効果が高い。
【００１０】
（ｂ）  磁気治療装置を頭部以外の他の患部（例えば、首、肩、腰、足等）に装着した場合、磁気唸りにより、肩こりや腰痛等の治療効果が高い。
【００１１】
（ｃ）  永久磁石として、例えば、円盤型扁平磁石を用いた場合、回転磁界発生箇所を扁平に形成でき、形状の自由度が向上すると共に、磁気治療器を小型化できる。
【００１２】
（ｄ）  モータとして、例えば、直流モータを用いた場合、電圧制御等によって容易に回転数を変えられる（即ち、調整できる）。そのため、第１磁気治療器と第２磁気治療器との回転周波数の差を容易に設けることができる。
【００１３】
（ｅ）  ２つの磁気治療器を小型化できるので、保持部材を用いて容易に患部に装着でき、便利で、使い勝手が良い。
【００１４】
（ｆ）  ２つの磁気治療器の外部に、例えば、共通の電源部を設けた場合には、患部に装着される２つの磁気治療器をより小型及び軽量にできる。そのため、２つの磁気治療器を、保持部材を用いて患部に容易に装着できる。更に、電源部が操作しやすく、使い勝手が良い。
【図面の簡単な説明】
【００１５】
【図１】図１は図２中の磁気治療器を示す概略の構成図である。
【図２】図２は本発明の実施例１における磁気治療装置を示す概略の構成図である。
【図３】図３は図１中の回転円板及び永久磁石付近の磁界の発生状態を示す概略の拡大斜視図である。
【図４】図４は本発明の実施例２における磁気治療装置を示す概略の構成図である。
【発明を実施するための形態】
【００１６】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１７】
（実施例１の構成）
図２は、本発明の実施例１における磁気治療装置を示す概略の構成図である。
【００１８】
磁気治療装置１は、２つの磁気治療器１０（例えば、第１磁気治療器１０−１、及び第２磁気治療器１０−２）を備えている。第１磁気治療器１０−１は、使用者の頭部等の患部５０にあてがわれ、第１回転周波数ｆ１（例えば、１１０Ｈｚ位）にて回転する第１回転磁界Ｈ１を、患部５０に対して略垂直方向に与えるものである。第２磁気治療器１０−２は、第１磁気治療器１０−１から離れた位置の患部５０にあてがわれ、第２回転周波数ｆ２（例えば、１２０Ｈｚ位）にて回転する第２回転磁界Ｈ２を、患部５０に対して略垂直方向に与えるものである。
【００１９】
第１磁気治療器１０−１と第２磁気治療器１０−２とは、回転周波数ｆ１，ｆ２が異なるだけであり、同一の構成である。この第１磁気治療器１０−１及び第２磁気治療器１０−２は、保持部材４０によって患部５０に着脱自在に装着される。保持部材４０としては、例えば、ヘッドバンド、ベルト、面ファスナー、帽子等の種々の形態のものが使用できる。
【００２０】
図１（ａ）〜（ｃ）は、図２中の磁気治療器１０（＝１０−１，１０−２）を示す概略の構成図であり、同図（ａ）は斜視図、同図（ｂ）は同図（ａ）の縦断面図、及び、同図（ｃ）は同図（ｂ）中の回転円板の平面図である。
【００２１】
磁気治療器１０（＝１０−１，１０−２）は、略円柱状の回転磁界発生部２０と、この回転磁界発生部２０の側面に突設された略角柱状の電源部３０（第１磁気治療器１０−１側では第１電源部、第２磁気治療器１０−２側では第２電源部）と、により構成されている。
【００２２】
回転磁界発生部２０は、この平面側２１ａから回転周波数ｆ（＝ｆ１，ｆ２）の回転磁界Ｈ（＝Ｈ１，Ｈ２）を発生するものであり、平面側２１ａ及び底面側２１ｂの両端が閉塞された略円筒状の収容ケース２１を有している。収容ケース２１は、プラスチック等の絶縁部材により形成されている。収容ケース２１内において、底面側２１ｂには、モータ２２（第１磁気治療器１０−１側では第１モータ、第２磁気治療器１０−２側では第２モータ）が収容されている。モータ２２の種類は、特に限定されないが、例えば、モータ駆動回路の構成が簡単で、回転数の調整等が容易に行える小型の直流モータが好ましい。
【００２３】
モータ２２の上部から突出している回転軸２３には、回転円板２４（第１磁気治療器１０−１側では第１回転円板、第２磁気治療器１０−２では第２回転円板）が取り付けられている。回転円板２４は、収容ケース２１内の平面側２１ａに配置され、モータ２２によって所定の回転周波数ｆ（＝ｆ１，ｆ２）にて回転するものであり、プラスチック等の絶縁板により形成されている。
【００２４】
回転円板２４上には、回転磁界Ｈ（＝Ｈ１，Ｈ２）を発生させる複数（例えば、４つ）の永久磁石２５（＝２５−１〜２５−４）が同心円状に配置されている。第１磁気治療器１０−１側の第１永久磁石２５（＝２５−１〜２５−４）では、第１回転周波数ｆ１にて回転する第１回転磁界Ｈ１を発生させ、第２磁気治療器１０−２側の第２永久磁石２５（＝２５−１〜２５−４）では、第２回転周波数ｆ２にて回転する第２回転磁界Ｈ２を発生させる。
【００２５】
回転円板２４の大きさは、特に限定されないが、直径Ｄ１が３４〜３７ｍｍ位が好ましい。各永久磁石２５の形状は、特に限定されないが、例えば、円盤型扁平磁石が好ましい。各永久磁石２５の直径Ｄ２は、例えば、１２．５ｍｍ位であり、この各永久磁石２５間に、ギャップＤ３（例えば、２〜４ｍｍ位）が設けられている。
【００２６】
同心円状に配置された４つの永久磁石２５（＝２５−１〜２５−４）の極性は、Ｎ極とＳ極が交互に配置されている。例えば、永久磁石２５−１は、平面側がＮ極、底面側がＳ極、永久磁石２５−２は、平面側がＳ極、底面側がＮ極、永久磁石２５−３は、平面側がＮ極、底面側がＳ極、更に、永久磁石２５−４は、平面側がＳ極、底面側がＮ極である。このような極性の配置にすれば、４つの永久磁石２５によって生成される磁界Ｈの波形が、正側と負側とで対称になり、同一の患部５０に対して均一な治療効果が期待できるからである。
【００２７】
各永久磁石２５間にギャップＤ３を設ける理由は、生成される磁界Ｈの範囲が広がり、治療範囲が広がることが期待できるからである。なお、永久磁石２５の直径Ｄ２を大きくしてギャップＤ３をゼロにしても、略同様の効果が期待できる。
【００２８】
電源部３０は、駆動電圧をモータ２２に供給するものであり、把持可能な略角筒形の収容ケース３１を有している。収容ケース３１は、底面側に電池交換用の蓋３１ａを有し、プラスチック等の絶縁部材により形成されている。収容ケース３１内には、電源電圧（例えば、直流３Ｖ）を供給するための電池３２と、モータ駆動回路３３と、が収容されている。モータ駆動回路３３は、電池３２から供給される電源電圧を入力し、モータ２２を所定の回転周波数ｆにて回転させるための駆動電圧を、絶縁配線３４を通してそのモータ２２へ供給する回路であり、駆動電圧可変用のトランジスタ等により構成されている。モータ駆動回路３３には、電源のオン／オフ切り替えや、駆動電圧等を調整するためのスイッチ３３ａと、電源ランプ３３ｂ等と、が接続されている。
【００２９】
（実施例１の動作）
図３は、図１中の回転円板２４及び永久磁石２５（＝２５−１〜２５−４）付近の磁界Ｈの発生状態を示す概略の拡大斜視図である。
【００３０】
本実施例１の磁気治療装置１を使用する場合、図２に示すように、第１磁気治療器１０−１の回転磁界発生部２０と、第２磁気治療器１０−２の回転磁界発生部２０と、を離間して頭部等の患部５０の所望の位置に接触させ、その第１磁気治療器１０−１及び第２磁気治療器１０−２を保持部材４０によって患部５０に装着する。
【００３１】
第１磁気治療器１０−１及び第２磁気治療器１０−２にそれぞれ設けられた図１中のスイッチ３３ａにより、それらの磁気治療器１０−１，１０−２の電源をオン状態にする。すると、各磁気治療器１０−１，１０−２内のモータ駆動回路３３から、絶縁配線３４を通してモータ２２へそれぞれ駆動電圧が供給され、第１磁気治療器１０−１側の回転円板２４が回転周波数ｆ１で回転すると共に、第２磁気治療器１０−２側の回転円板２４が回転周波数ｆ２で回転する。
【００３２】
第１磁気治療器１０−１側の回転円板２４が回転すると、図３に示すように、その回転円板２４上の４つの永久磁石２５−１〜２５−４のＮ極側からＳ極側に向かって磁束φが発生する。この磁束φにより、回転周波数ｆ１（例えば、１１０Ｈｚ位）で回転する正極及び負極対称の回転磁界Ｈ１が、患部５０に対して略垂直方向に照射される。これにより、患部５０内の血管中の血液（即ち、導電性流体）に起電力が発生して、その血管中に誘導電流ｉが流れる。
【００３３】
同様に、第２磁気治療器１０−２側の回転円板２４が回転すると、その回転円板２４上の４つの永久磁石２５−１〜２５−４のＮ極側からＳ極側に向かって磁束φが発生する。この磁束φにより、回転周波数ｆ２（例えば、１２０Ｈｚ位）で回転する正極及び負極対称の回転磁界Ｈ２が、患部５０に対して略垂直方向に照射される。これにより、患部５０内の血管中の血液に起電力が発生して、その血管中に誘導電流ｉが流れる。
【００３４】
ここで、２つの磁気治療器１０−１，１０−２から発生する２つの回転磁界Ｈ１，Ｈ２は、異なる回転周波数ｆ１，ｆ２でそれぞれ回転するので、この２つの回転磁界Ｈ１，Ｈ２が相互に干渉し合って、磁気唸りが生じる。磁気唸りとは、２つの回転周波数Ｈ１，Ｈ２の差に相当する周期で、磁界Ｈ１，Ｈ２の強弱が増幅され、強弱の大きな１つの回転磁界に変化するような現象である。
【００３５】
このような磁気唸りが生じると、本実施例１の磁気治療装置１を患部５０（例えば、頭部）に装着した場合、頭部の脳波におけるα波成分が増加すると共に、β波成分が抑制されて減少する。
【００３６】
国際脳波学会において、脳波がα波（周波数８〜１４Ｈｚ）の状態では、リラックスしている状態、集中や瞑想している状態であり、脳波がβ波（周波数１４〜３０Ｈｚ）の状態では、通常に起きている状態、緊張や心配事のある状態である、と言われている。脳波がα波の状態になると、β−エンドルフィンというホルモンが分泌される。このホルモンは、次の（ｉ）〜（ｉｉｉ）のような効能がある。
（ｉ）  ストレスを低減、解消する。
（ｉｉ）  脳を活性化させる。
（ｉｉｉ）  体の免疫力を高め、様々な病気を予防する。
【００３７】
本実施例１の磁気治療装置１では、磁気唸りを生じさせるので、脳波のα波成分が増加すると共に、β波成分が抑制されて減少する。これにより、前記の（ｉ）〜（ｉｉｉ）のような治療効果が期待できる。
【００３８】
（実施例１の効果）
本実施例１の磁気治療装置１によれば、次の（１）〜（６）のような効果がある。
【００３９】
（１）  磁気治療装置１を患部５０（例えば、頭部）に装着した場合、磁気唸りにより、脳波の周波数低下を誘導して、脳波のα波成分を増加させると共に、β波成分を抑制して減少させることができる。そのため、精神障害等に対して治療効果が高い。
【００４０】
（２）  磁気治療装置１を頭部以外の他の患部５０（例えば、首、肩、腰、足等）に装着した場合、磁気唸りにより、肩こりや腰痛等の治療効果が高い。
【００４１】
（３）  永久磁石２５（＝２５−１〜２５−４）として、円盤型扁平磁石を用いた場合、回転磁界発生部２０を扁平に形成でき、形状の自由度が向上すると共に、磁気治療器１０（＝１０−１，１０−２）を小型化できる。
【００４２】
（４）  モータ２２として、直流モータを用いた場合、電圧制御等によって容易に回転数を変えられる（即ち、調整できる）。そのため、第１磁気治療器１０−１と第２磁気治療器１０−２との回転周波数ｆ１，ｆ２の差を容易に設けることができる。
【００４３】
（５）  各磁気治療器１０の電源部３０は、把持可能な略角筒形の収容ケース３１内に電気部品が収容されているので、保持部材４０を用いて患部５０に装着しやすく、便利で、使い勝手が良い。
【００４４】
（６）  各磁気治療器１０内には、電源部３０がそれぞれ設けられているので、各磁気治療器１０を単独に使用して、患部５０の磁気治療を行うことも可能である。
【実施例２】
【００４５】
（実施例２の構成）
図４（ａ）〜（ｂ）は、本発明の実施例２における磁気治療装置を示す概略の構成図であり、同図（ａ）は磁気治療装置の斜視図、同図（ｂ）は磁気治療器の縦断面図、及び同図（ｃ）は電源部の縦断面図である。この図４（ａ）〜（ｃ）において、実施例１を示す図１（ａ）〜（ｃ）及び図２中の要素と共通の要素には共通の符号が付されている。
【００４６】
本実施例２の磁気治療装置１Ａでは、２つの磁気治療器１０Ａ（例えば、第１磁気治療器１０−１Ａ、及び第２磁気治療器１０−２Ａ）を備えている。この第１磁気治療器１０−１Ａ及び第２磁気治療器１０−２Ａには、絶縁配線３４Ａによって、共通の電源部３０Ａが接続されている。
【００４７】
第１磁気治療器１０−１Ａは、実施例１の回転磁界発生部２０に相当し、使用者の頭部等の患部５０にあてがわれ、第１回転周波数ｆ１（例えば、１１０Ｈｚ位）にて回転する第１回転磁界Ｈ１を、患部５０に対して略垂直方向に与えるものである。同様に、第２磁気治療器１０−２Ａは、実施例１の回転磁界発生部２０に相当し、第１磁気治療器１０−１Ａから離れた位置の患部５０にあてがわれ、第２回転周波数ｆ２（例えば、１２０Ｈｚ位）にて回転する第２回転磁界Ｈ２を、患部５０に対して略垂直方向に与えるものである。この第１磁気治療器１０−１Ａ及び第２磁気治療器１０−２Ａは、ヘッドバンド、ベルト、面ファスナー、帽子等の保持部材４０によって患部５０に着脱自在に装着される。
【００４８】
第１磁気治療器１０−１Ａと第２磁気治療器１０−２Ａとは、回転周波数ｆ１，ｆ２が異なるだけであり、同一の構成である。
【００４９】
各磁気治療器１０Ａ（＝１０−１Ａ，１０−２Ａ）は、実施例１の回転磁界発生部２０と同様に、平面側から回転周波数ｆ（＝ｆ１，ｆ２）の回転磁界Ｈ（＝Ｈ１，Ｈ２）を発生するものであり、その平面側及び底面側の両端が閉塞された円筒状の収容ケース２１Ａ（＝２１−１Ａ，２１−２Ａ）をそれぞれ有している。各収容ケース２１Ａは、プラスチック等の絶縁部材により形成されている。各収容ケース２１Ａ内には、実施例１と同様に、底面側に、モータ２２（第１磁気治療器１０−１Ａ側では第１モータ、第２磁気治療器１０−２Ａ側では第２モータ）がそれぞれ収容されている。
【００５０】
各モータ２２の上部から突出している回転軸２３には、実施例１と同様に、回転円板２４（第１磁気治療器１０−１Ａ側では第１回転円板、第２磁気治療器１０−２Ａ側では第２回転円板）がそれぞれ取り付けられている。各回転円板２４上には、実施例１と同様に、回転磁界Ｈ（＝Ｈ１，Ｈ２）をそれぞれ発生させる複数（例えば、４つ）の永久磁石２５（＝２５−１〜２５−４）が同心円状に配置されている。
【００５１】
電源部３０Ａは、実施例１の電源部３０と略同様に、ヘッドバンド、ベルト、面ファスナー等の保持部材によって身体の所望の位置に装着され、外部に配置された絶縁配線３４Ａを通して、第１磁気治療器１０−１Ａ及び第２磁気治療器１０−２Ａ内にそれぞれ収容された２つのモータ２２へ駆動電圧を供給するものである。この電源部３０Ａは、略角筒形の収容ケース３１Ａを有している。収容ケース３１Ａは、この底面側に電池交換用の蓋３１ｂを有し、プラスチック等の絶縁部材により形成されている。収容ケース３１Ａ内には、電源電圧（例えば、直流３Ｖ）を供給するための電池３２Ａと、モータ駆動回路３３Ａと、が収容されている。
【００５２】
モータ駆動回路３３Ａは、電池３２Ａから供給される電源電圧を入力し、第１磁気治療器１０−１Ａ及び第２磁気治療器１０−２Ａ内の２つのモータ２２を所定の回転周波数ｆ１，ｆ２にてそれぞれ回転させるための駆動電圧を、絶縁配線３４Ａを通して２つのモータ２２へ供給する回路であり、駆動電圧可変用のトランジスタ等により構成されている。モータ駆動回路３３Ａには、電源のオン／オフ切り替えや、駆動電圧を調整するためのスイッチ３３ａと、電源ランプ３３ｂ等と、が接続されている。
【００５３】
（実施例２の動作）
本実施例２の磁気治療装置１Ａを使用する場合、第１磁気治療器１０−１Ａと第２磁気治療器１０−２Ａとを離間して患部５０（例えば、頭部等）の所望の位置に接触させ、その第１磁気治療器１０−１Ａ及び第２磁気治療器１０−２Ａを保持部材４０によって患部に装着する。
【００５４】
スイッチ３３ａにより、電源部３０Ａの電源をオン状態にすると、この電源部３０Ａ内のモータ駆動回路３３Ａから、絶縁配線３４Ａを通して、各磁気治療器１０−１Ａ，１０−２Ａ内の各モータ２２へ駆動電圧が供給される。これにより、第１磁気治療器１０−１Ａ側の回転円板２４が回転周波数ｆ１で回転すると共に、第２磁気治療器１０−２Ａ側の回転円板２４が回転周波数ｆ２で回転する。
【００５５】
第１磁気治療器１０−１Ａ側の回転円板２４が回転すると、実施例１と同様に、その回転円板２４上の４つの永久磁石２５−１〜２５−４のＮ極側からＳ極側に向かって磁束φが発生する。この磁束φにより、回転周波数ｆ１（例えば、１１０Ｈｚ位）で回転する正極及び負極対称の回転磁界Ｈ１が、患部５０に対して略垂直方向に照射される。これにより、患部５０内の血管中の血液に起電力が発生して、その血管中に誘導電流ｉが流れる。
【００５６】
同様に、第２磁気治療器１０−２Ａ側の回転円板２４が回転すると、その回転円板２４上の４つの永久磁石２５−１〜２５−４のＮ極側からＳ極側に向かって磁束φが発生する。この磁束φにより、回転周波数ｆ２（例えば、１２０Ｈｚ位）で回転する正極及び負極対称の回転磁界Ｈ２が、患部５０に対して略垂直方向に照射される。これにより、患部内の血管中の血液に起電力が発生して、その血管中に誘導電流ｉが流れる。
【００５７】
実施例１と同様に、２つの磁気治療器１０−１Ａ，１０−２Ａから発生する２つの回転磁界Ｈ１，Ｈ２は、異なる回転周波数ｆ１，ｆ２でそれぞれ回転するので、この２つの回転磁界Ｈ１，Ｈ２が相互に干渉し合って、磁気唸りが生じる。２つの磁気治療器１０−１Ａ，１０−２Ａを患部５０（例えば、頭部）に装着した場合、前記の磁気唸りが生じると、頭部の脳波におけるα波成分が増加すると共に、β波成分が抑制されて減少する。そのため、実施例１と同様の治療効果が期待できる。
【００５８】
（実施例２の効果）
本実施例２の磁気治療装置１Ａによれば、実施例１と同様の（１）〜（４）の効果があり、更に次の（７）のような効果がある。
【００５９】
（７）  各磁気治療器１０−１Ａ，１０−２Ａの外部に共通の電源部３０Ａが設けられているので、患部５０に装着される各磁気治療器１０−１Ａ，１０−２Ａを小型及び軽量にできる。そのため、２つの磁気治療器１０−１Ａ，１０−２Ａを、保持部材４０を用いて容易に患部５０に装着できる。更に、電源部３０Ａが操作しやすく、使い勝手が良い。
【００６０】
（変形例）
本発明は、上記実施例１、２に限定されず、種々の利用形態や変形が可能である。この利用形態や変形例としては、例えば、次の（Ａ）、（Ｂ）のようなものがある。
【００６１】
（Ａ）  各磁気治療器１０，１０Ａ，１０−１，１０−１Ａ，１０−２，１０−２Ａや電源部３０Ａは、図示以外の形状、構造等に変更しても良い。
【００６２】
（Ｂ）  回転円板２４上に配置される永久磁石２５（＝２５−１〜２５−４）は、４つ以外の数にしたり（例えば、３つ、６つ等）、或いは、回転円板２４の直径Ｄ１を大きくして複数の永久磁石２５を２つ以上の同心円状に配置しても良い。
【符号の説明】
【００６３】
１，１Ａ      磁気治療装置
１０，１０Ａ，１０−１，１０−１Ａ，１０−２，１０−２Ａ
２０      回転磁界発生部
２２      モータ
２４      回転円板
２５，２５−１〜２５−４      永久磁石
３０，３０Ａ      電源部
３２，３２Ａ      電池
３３，３３Ａ      モータ駆動回路
３４，３４Ａ      絶縁配線
４０      保持部材
５０      患部
【図１】
2016029998.tif 000003
【図２】
2016029998.tif 000004
【図３】
2016029998.tif 000005
【図４】
2016029998.tif 000006